(57)【要約】  食品の上面および底面の両方を同時に加熱するための、トッププレートおよびボトムプレートが積み重ねられて食品焼き器が形成される。プレートは、同様の温度まで加されする。食品は、プレート間に配置される。プレートおよびその上の食品は熱から下げられ、その結果、食品の加熱は、プレートから食品へと伝達されるトッププレートおよびボトムプレート内の余熱のみによって行われる。この加熱は、ボトムプレートから食品へと上方に伝達されるのと同様の熱の量が、トッププレートから食品へと下方に伝達されることを伴う。代替の実施形態は、様々な形態のハンドルならびにガイド支柱／バー、およびトッププレート内の温度計および油分を捕捉するための溝を含む。【選択図】図８
2021530340.tif 000002
【特許請求の範囲】
【請求項１】
食品焼き器であって、
ボトムプレートであって、
前記ボトムプレートは第２の表面の反対側に第１の表面を有し、前記第１の表面と前記第２の表面との間がボトムプレートの厚さである、ボトムプレートと、
トッププレートであって、
前記トッププレートは第２の表面の反対側に第１の表面を有し、前記第１の表面と前記第２の表面との間がトッププレートの厚さである、トッププレートと、
前記ボトムプレートの大部分が主要材料で形成されることと、
前記トッププレートの大部分も前記主要材料で形成されることと、
前記ボトムプレートの前記質量と前記トッププレートの前記質量との比は、２：１もしくは１：２よりは１：１に近いことと、
を組み合わせて備える、食品焼き器。
【請求項２】
前記トッププレートおよび前記ボトムプレートの少なくとも一方は、その上にハンドルを含む、請求項１に記載の焼き器。
【請求項３】
前記トッププレートは、その上に少なくとも１つのハンドルを含み、前記ボトムプレートは、その上に少なくとも１つのハンドルを含む、請求項２に記載の焼き器。
【請求項４】
前記ボトムプレート上の前記ハンドルは、前記ボトムプレートの側部から延在する延長部からなり、前記延長部は、前記主要材料で形成され、前記延長部は、前記ボトムプレートの厚さに一致する厚さを有する、請求項３に記載の焼き器。
【請求項５】
前記トッププレート上の前記ハンドルは、前記ボトムプレートとは反対側の、前記トッププレートの一部から延在し、前記トッププレートの周囲部から離れた中心部のつまみからなる、請求項４に記載の焼き器。
【請求項６】
前記ボトムプレートは、前記第１の表面内に、前記トッププレートから離れて延在する溝を有し、前記溝は、前記ボトムプレートの周囲部の内側に位置し、前記トッププレートは、前記トッププレートを前記ボトムプレートの上方で中央に配置したときに、前記溝の内側に位置する周囲部を有する、請求項１に記載の焼き器。
【請求項７】
前記トッププレートの前記第１の表面は、前記トッププレートの前記第２の表面よりも前記ボトムプレートから遠くに位置し、前記トッププレートの前記第１の表面上には、上から見ることのできる温度ディスプレイを有する温度計を有する、請求項１に記載の焼き器。
【請求項８】
ガイド構造は、前記ボトムプレートおよび前記トッププレートに関係し、前記ガイド構造は、相補的な雄型構造および雌型構造を含み、前記雄型構造は、前記トッププレートおよび前記ボトムプレートのうちの一方の固定位置に配置され、前記雌型構造は、前記ボトムプレートおよび前記トッププレートのうちの一方の固定位置に配置され、前記雄型構造および前記雌型構造は、前記トッププレートが前記ボトムプレートに近接して前記ボトムプレートの上方に配置したときに互いに嵌合するように配置される、請求項１に記載の焼き器。
【請求項９】
前記ガイド構造は、前記ボトムプレートの前記第１の表面から上方に延在する支柱と、前記第１の表面から前記第２の表面まで前記トッププレートを貫通する穴とを含み、前記トッププレート内の前記穴は、前記ボトムプレート内の前記支柱が前記穴を貫通することができるように寸法決めされ、前記トッププレート内の前記穴は、前記ボトムプレートから上方に延在する前記支柱の位置と一致する位置に配置され、そのことにより、前記トッププレートは、前記トッププレート内の前記穴に前記支柱が貫通した状態で前記ボトムプレート上に垂直下方へと延在し得る、請求項８に記載の焼き器。
【請求項１０】
前記ガイド構造は、少なくとも１つのバーおよび少なくとも１つのスロットを含み、前記バーおよび前記スロットは、嵌合するように寸法決めされ、前記バーおよび前記スロットのうちの一方は、前記トッププレート上に形成され、前記スロットおよび前記バーのうちの一方は、前記ボトムプレート上に形成され、
前記トッププレートは、前記ボトムプレートとは反対側の前記トッププレートの第１の表面から延在するつまみからなるハンドルを含み、前記つまみは、前記トッププレートの周囲部の内側の中心部にあり、
前記ボトムプレートは、前記ボトムプレートの両側の縁部から横方向に延在する取っ手を有し、前記取っ手は、ユーザが両手で前記ボトムプレートを持ち上げて運ぶために掴むことができる、請求項８に記載の焼き器。
【請求項１１】
対向する表面から同時に食品を焼くための方法であって、
第２の表面の反対側に第１の表面を有し、前記第１の表面と前記第２の表面との間がボトムプレートの厚さであるボトムプレートと、第２の表面の反対側に第１の表面を有し、前記第１の表面と前記第２の表面との間がトッププレートの厚さであるトッププレートとを有する食品焼き器を、前記トッププレートを前記ボトムプレートと接触させた状態で加熱するステップと、
前記トッププレートと前記ボトムプレートとの間に食品スペースを形成するために、前記トッププレートを前記ボトムプレートから離間させるステップと、
前記トッププレートと前記ボトムプレートとの間の前記食品スペース内に食品を置くステップと、
前記加熱ステップの後に、前記加熱ステップの熱の少なくとも一部が前記食品焼き器から取れるステップと、
を含む、方法。
【請求項１２】
前記食品の所望の調理量に適合する所望の時間の間、前記食品を前記トッププレートと前記ボトムプレートとの間に保持するステップをさらに含む、請求項１１に記載の方法。
【請求項１３】
前記加熱ステップは、前記トッププレート上に温度計を含み、前記トッププレートとは反対側の前記ボトムプレートの表面が熱源に最も近接して配置され、前記温度計で読み取った温度が前記トッププレートおよび前記ボトムプレートの所望の温度と等しくなったときに前記加熱ステップを終了することを含む、請求項１１に記載の方法。
【請求項１４】
前記置くステップの後に、前記トッププレートから前記食品へ、および前記ボトムプレートから前記食品へと熱が伝わり、前記トッププレートから前記食品へ伝わる熱の量と前記ボトムプレートから前記食品へ伝わる熱の量との比は、２：１もしくは１：２よりは１：１に近い、請求項１１に記載の方法。
【請求項１５】
前記加熱ステップは、主要材料で形成された前記ボトムプレートの大部分と、同じく前記主要材料で形成された前記トッププレートの大部分とを含み、前記ボトムプレートの質量と前記トッププレートの質量との比は、２：１もしくは１：２よりは１：１に近い、請求項１４に記載の方法。
【請求項１６】
前記離間させるステップは、前記プレートのうちの少なくとも一方に少なくとも１つのハンドルを含み、前記ハンドルを掴んで、前記ハンドルが結合された一方のプレートを他方のプレートに対して移動させることを含む、請求項１１に記載の方法。
【請求項１７】
少なくとも１つのハンドルが前記トッププレート上に配置され、少なくとも１つのハンドルが前記ボトムプレート上に配置され、前記ボトムプレート上の前記ハンドルは、前記ボトムプレートの側部から延在する延長部からなり、前記延長部は、前記ボトムプレートの厚さに一致する厚さを有し、前記トッププレート上に配置された前記ハンドルは、前記トッププレートの前記ボトムプレートとは反対側の部分から延在し、前記トッププレートの周囲部から離れた中心部のつまみからなる、請求項１６に記載の方法。
【請求項１８】
前記取れるステップの少なくとも一部の間に、前記ボトムプレートおよび前記トッププレート上の相補的なガイド構造を介して、前記トッププレートを前記ボトムプレートと位置合わせすることを含み、前記相補的なガイド構造は、一方のプレートが他方のプレートよりも熱い場合に、前記相補的なガイド構造間で熱伝導を行うための接触を維持する、請求項１１に記載の方法。
【請求項１９】
前記相補的なガイド構造は、前記ボトムプレートの前記第１の表面から上方に延在する支柱と、前記第１の表面から前記第２の表面まで前記トッププレートを貫通する穴とを含み、前記トッププレート内の前記穴は、前記ボトムプレート内の前記支柱が前記穴を貫通することができるように寸法決めされ、前記トッププレート内の前記穴は、前記ボトムプレートから上方に延在する前記支柱の位置と一致する位置に配置され、そのことにより、前記トッププレートは、前記トッププレート内の前記穴に前記支柱が貫通した状態で前記ボトムプレート上に垂直下方へと延在し得る、請求項１８に記載の方法。
【請求項２０】
前記相補的なガイド構造は、少なくとも１つのバーおよび少なくとも１つのスロットを含み、前記バーおよび前記スロットは、嵌合するように寸法決めされ、前記バーおよび前記スロットのうちの一方は、前記トッププレート上に形成され、前記スロットおよび前記バーのうちの一方は、前記ボトムプレート上に形成される、請求項１８に記載の方法。
【発明の詳細な説明】
【技術分野】
【０００１】
本発明は、食品調理器に関する。より詳細には、本発明は、様々な熱源から加熱することができるパンまたはプレートであって、トッププレートおよびボトムプレートの両方を含み、トッププレートおよびボトムプレートの両方を加熱し、その後、食品に近接して配置することで、トッププレートおよびボトムプレート両方からの熱伝導によって、食品の両面を同時に調理する、パンまたはプレートに関する。
【背景技術】
【０００２】
焼き付けは、肉の表面を褐変させ、キャラメル化する、一般的な方法である。この方法はまた、肉の中の肉汁および旨味を封じ込める。現在の一般的な焼き方は、パン、グリルまたはグリドルを高温（およそ３５０°Ｆ〜５００°Ｆまで加熱する。高温に達した後、しばらくの間（通常は、およそ１〜２分間）、肉の片面を下にして高温の調理面に載せ、次に、さらに１〜２分間、肉を裏返して反対側の面を調理面に載せる。肉の両面を焼いた後、肉が適切な内部温度または火の通り具合に達するまで調理プロセスを継続するために、肉をバーベキューグリルに移し、オーブン内、グリドル上、またはフライパン内に置く場合がある。この焼き調理方法では、肉の一定の裏返しが必要で、調理に時間がかかり、このことは肉を乾燥させ、水分および旨味が損なわれやすい。
【０００３】
肉の調理は、衛生面の機能を果たすだけでなく、一般に部分的な分解および／または酸化を伴う、様々な化学反応を食品中の分子に受けさせるものでもある。これらの特定の化学反応は、食品を褐変させ、食品にその旨味を与える化学反応といわれている、メイラード反応として、まとめて特徴付けられることが多い。このメイラード反応は、典型的には、２８５°Ｆを超える温度で起こる。したがって、この温度を超えて肉を加熱することにより、肉の旨味が増す。調味、軟化剤塗布およびマリネを含む他の肉処理もまた、肉の調理プロセスを促進し得る。他の肉以外の食品もまた、同様の理由または異なる理由のいずれかで、調味または他の処理の有無にかかわらず、調理による利点がある。
【０００４】
肉をミディアムレアにするための通常のバーベキュー時間は８〜９分であり、平均的な人は所望の内部温度を正確に推測するのに苦労する。加熱は、主として、肉の切り身の底部から下方内部を通って上部へと伝わる。ある程度、肉の切り身の全ての表面を加熱するためには、輻射および対流による熱伝導も伴い得る。したがって、肉の中心部および上部を加熱するために、肉を裏返すか、または熱をゆっくりと加えることで、肉の切り身の底部の焼き過ぎを防ぐ、または下方部が若干加熱し過ぎになる。これらは、均一な加熱および速度が望ましい場合に、全て最適とは言えないプロセスである。
【０００５】
肉は、７５％水である。肉がグリル上にある時間が長いほど、失われる水分量は多くなる。調理時間が短いほど、水分損失は少ないが、肉の一部を焼き過ぎる危険性はある。したがって、先行技術の片面調理では、裏返したとしても、最適とは言えない乾燥または焼き過ぎを生じる。したがって、バーベキューもしくはクックトップまたは他の熱源で使用するために使いやすい調理器具を用いて、複数の表面から食品に均一に熱を伝導して調理時間を速め、水分を維持することができる器具が必要とされている。
【発明の概要】
【０００６】
本発明は、ボトム調理パンまたはプレートおよび別個のトップ調理パンまたはプレートを使用前に等しい所望の焼き温度まで同時に加熱する、肉の焼き調理の改善に関する。２つのプレートが所望の焼き温度になり次第、肉をボトムプレート上に置き、その後すぐに、ボトムプレートの上に置いた肉の上面にトッププレートを配置する。この改善方法は、肉の両面を同時に焼きながら、一般的な焼き調理方法の半分未満の時間で所望の温度および火の通り具合まで肉の内部温度を上昇させる。また、さらなる裏返しおよび調理が必要となる別のグリル装置、ベーキング装置またはフライ装置に肉を移す必要がない。
【０００７】
２つのプレートは、使用前の加熱中にトッププレートをボトムプレート上に積み重ねるなどして、互いに近接して配置され得る、または別々に加熱した後に、食品を間に挟んだ状態で合わせ得る。食品に対する位置決めを容易にするために、好ましくは、ハンドルが設けられる（各プレート上に１つのキャンドル）。
【０００８】
一実施形態では、一方のプレートから延在する支柱が設けられ、支柱の位置に一致する穴が他方のプレート内に設けられる。支柱は、２つのプレートが比較的正確な所望の位置で位置合わせされ得るように、穴の中に嵌合する。このような支柱はさらに、円筒形または球形の食品がトッププレートとボトムプレートとの間から転がり出るのを防ぐのに役立つ。支柱および穴などにより２つのプレートが一緒に保持された状態であるため、ユーザは、単にボトムプレートを持つだけで、組立体全体を食品と一緒に確実に持ち運ぶことができる。
【０００９】
さらに別の実施形態では、油分がボトムプレートから流れ落ちるのを防ぐために、ボトムプレートの周縁部付近に油溝が設けられる。この実施形態では、支柱は、細長いガイドバーに置き換えられており、細長いガイドバーはトッププレートとボトムプレートとが位置合わせされた状態に保つように、トッププレート内のスロットに嵌合する。また、本発明の焼き器で調理前と調理後を知らせるために、トッププレートの温度を測定するための温度計をトッププレートの上面に取り付けることが好ましい。
【００１０】
２つのプレートを加熱した後、食品を２つのプレートの間に置くと、２つのプレートがそれぞれ食品の両側の面と接触した状態になる。その後、プレートが冷める（または２つのプレートから熱が取れる）。つまり、食品に伝わる唯一の（または少なくとも大部分の）熱は、プレートに入っていた熱であり、熱はその後、プレートから食品へと伝わる。このようにして、同様の質量を有し、および／または同様の材料から形成されるのが好ましいトッププレートおよびボトムプレートは、比較的同時に冷めるため、同様の加熱量が食品の対向する表面の両方に加わる。
【図面の簡単な説明】
【００１１】
【図１】一実施形態に係る、本発明の食品焼き器の斜視図である。
【図２】図１に示されている食品焼き器の正面図である。
【図３】図１に示されている食品焼き器の正面図であるが、積み重ねた構成で一緒に加熱されるように、トッププレートがボトムプレートと直接接触した状態にある図である。
【図４】図１のトッププレートの平面図である。
【図５】図４に示されているトッププレートの正面図である。
【図６】食品焼き器のボトムプレートの平面図である。
【図７】図６に示されているボトムプレートの正面図である。
【図８】図１に示されている食品焼き器の代替の実施形態の斜視図であり、ボトムプレートは、そこから上方に延在する支柱を特徴とし、トッププレートは、支柱を収容してトッププレートをボトムプレートと位置合わせした状態に保つ穴を特徴とする。
【図９】図８に示されている食品焼き器の正面図である。
【図１０】図８に示されている食品焼き器の正面図であるが、調理に使用する前のプレートの加熱中などのトッププレートがボトムプレートに直に近接した状態にある図である。
【図１１】図８のトッププレートの平面図である。
【図１２】図８の代替の実施形態のトッププレートの正面図である。
【図１３】図８に示されている代替の実施形態のボトムプレートの平面図である。
【図１４】この代替の実施形態に係る、ボトムプレートの正面図である。
【図１５】本発明の第３の実施形態に係る、第２の代替の焼き器のトッププレートの斜視図である。
【図１６】図１５のトッププレートと協働するように構成されたボトムプレートの斜視図である。
【図１７】図１５と図１６とを組み合わせた斜視図であり、トッププレートとボトムプレートとの間に配置された食品を焼くためにトッププレートとボトムプレートとがどのように相互作用するかを示した図である。
【図１８】図１６に示されているボトムプレートの全断面正面図である。
【図１９】この第２の代替の実施形態のトッププレートとボトムプレートとの結合体の平面図である。
【図２０】図１７に示されている結合体の底面図である。
【図２１】図１７に示されている結合体の左端立面図である。
【図２２】図１７に示されている結合体の右端立面図である。
【図２３】図１７に示されている結合体の正面図である。
【発明を実施するための形態】
【００１２】
図面を参照すると、様々な図面にわたって同様の参照番号は同様の部品を表しており、参照番号１０は食品焼き器を指し、食品焼き器１０は、食品焼き器１０の２つのプレート２０、３０の加熱後に食品を置く食品スペースＦ（図１〜図３）を有する。同様のサイズを有し、同様の材料で形成され、最初に同様の温度まで加熱されるプレート２０、３０を使用することによって、熱が、同様の割合で、かつ同様の範囲で、トッププレートから食品へと下方に伝わり、ボトムプレートから食品へと上方に伝わる。これにより、迅速に食品調理および両面焼きを行うことができ、すなわち、調理中の水分の損失が低減され、旨味が向上する。
【００１３】
基本的に、特に図１〜図７を参照しながら、第１の比較的単純な実施形態の焼き器１０の基本的な詳細を説明する。この実施形態では、焼き器１０は、ボトムプレート２０およびトッププレート３０を含む。これらのプレート２０、３０は、同様の厚さを含む同様のサイズおよび形状を有し、好ましくは同様の材料で形成される。ボトムプレート２０は、この実施形態によれば、ボトムプレート２０用のハンドルの形態を呈する延長部２５を含む。トッププレート３０は、この特定の実施形態では、つまみ３５の形態のハンドルを含む。トッププレート３０とボトムプレート２０との間の食品スペースＦは、その中に食品を収容することができる。
【００１４】
最初にプレート２０、３０を同様の温度まで加熱する。１つの方法によれば、トッププレート３０はボトムプレート２０の上に直接配置され（図３）、ボトムプレート２０はバーベキューグリルなどの熱源の上に配置される。鋳鉄のような高い熱伝導係数を有する材料で形成されたプレート２０、３０では、トッププレート３０およびボトムプレート２０は、加熱中および加熱後に同様の温度を有する。プレート２０、３０が所望の温度まで加熱され次第、食品をプレート２０、３０間の食品スペースＦ内に置く。次に、食品を置いたプレート２０、３０を熱源から下ろすと、プレート２０、３０から食品へ熱が伝わって食品を加熱し続ける。この方法は、プレートの１つ、例えば、ボトムプレート２０を介する熱源から加熱する典型的な方法とは対照的である。したがって、本発明を使用することで、食品は、上下両方から均一に加熱される。
【００１５】
引き続き図１〜図７を参照しながら、この第１の実施形態の焼き器１０の特定の詳細を説明する。ボトムプレート２０は、好ましくは、材料の単一の塊（一実施形態では、鋳鉄である）から形成された薄い剛性の一体構造である。このボトムプレート２０は、加熱面２４の反対側に調理面２２を含み、これらの面２２、２４は、好ましくは互いに平行であり、これらの面２２、２４間の間隔がボトムプレート２０の厚さを画定する。
【００１６】
周縁部２６は、ボトムプレート２０の側部を形成し、周縁部２６は、調理面２２から加熱面２４まで延在する。周縁部は、好ましくは、調理面２２および加熱面２４に対して垂直である。ボトムプレート２０は、好ましくは、周縁部２６によって画定された略矩形形状を有する。あるいは、正方形または円形などの他の形状にすることもできる。
【００１７】
ボトムプレート２０の取り扱いを容易にするために、延長部２５は、好ましくは、周縁部２６の短い方の側部の一方から延在する。この延長部２５は、この延長部２５を操作することによってボトムプレート２０（およびボトムプレート２０上に置いた任意の食品）を動かすためにユーザが容易に掴むことができるハンドルとして機能する。単純な実施形態では、この延長部２５は、ボトムプレート２０の他の部分と同様の材料で形成される。したがって、ユーザは、一般的には、ボトムプレート２０を加熱した後で延長部２５を持つときに火傷しないように、オーブンミトン、鍋つかみ、または何らかの他の保護具を利用する。代替形態として、ボトムプレート２０上の延長部２５または他のハンドルを、保護しなくても（またはあまり保護しなくても）持つために、ボトムプレート２０の他の部分よりも冷めるように構成され得る。
【００１８】
一実施形態では、ボトムプレート２０は鋳鉄で形成される。アルミニウムまたは銅などの他の金属または他の材料が、ボトムプレート２０を形成するために利用され得ることが考えられる。ボトムプレート２０を形成する材料は、好ましくは、ボトムプレート２０とトッププレート３０との間の食品スペースＦ内のような、ボトムプレート２０に近接する食品を急速に加熱するために高い熱伝導係数を有する。さらに、ボトムプレート２０は、好ましくは、ボトムプレート２０に近接する食品に所望のレベルで熱を伝えて調理するのに十分な熱がボトムプレート２０内に含まれるように十分な厚さを有し、ボトムプレート２０に近接して置いた食品の縁部から食品の中心部までの半分をしっかりと調理するのに少なくとも十分な厚さを有する。
【００１９】
トッププレート３０は、好ましくは、ボトムプレート２０と同様の形状を有する。したがって、そのような例では、トッププレート３０は、下面３４の反対側に上面３２を含み、これらの面３２、３４は、互いにほぼ平行であり、トッププレート３０の厚さだけ離間している。周囲部３６は、好ましくは、面３２、３４に対して垂直であり、面３２、３４間に延在し、トッププレート３０の厚さを定める。トッププレート３０は、好ましくは、周囲部３６の輪郭によって画定されるような矩形である。つまみ３５は、上面３２から延在して、ハンドルとして機能する。このつまみ３５は、トッププレート３０を形成する材料と同様の材料で形成され得るか、または別個の材料で形成され得、つまみ３５を直接持てるように断熱材料で形成され得ることも考えられる。
【００２０】
トッププレート３０は、好ましくは、ボトムプレート２０と同様の厚さを有し、この厚さは、トッププレート３０の熱容量が食品の上部から食品の中心部までの半分をしっかりと加熱するのに十分な厚さである。最も好ましくは、トッププレート３０は、ボトムプレート２０が形成される材料と同様の材料で形成される。プレート２０、３０が同様のサイズおよび厚さを有し、同様の材料から形成されることによって、プレート２０、３０は同様の質量を有することになる。同様の温度まで加熱されることにより、プレート２０、３０からの熱伝導に影響する要因は、全て互いに同様になる。したがって、プレート２０、３０から食品に伝わる熱（伝導される食事の量および熱伝導率の両方）は、食品の対向するサービスへと同様の割合で、かつ同様の範囲まで行われることになる。したがって、食品を最も迅速に調理し、均一に調理することができる。
【００２１】
プレート２０、３０が、同様の質量を有し、食品への同様の熱伝導量および／または熱伝導率を有するものとして説明されている場合、そのような表現は、他のプレート２０、３０の量の半分または２倍に近い量であることを企図している。したがって、一方のプレート２０、３０が１．０ｋｇの質量を有する場合、他方のプレート２０、３０は０．５ｋｇ〜２．０ｋｇの質量を有することになる。同様に、一方のプレート２０、３０が１分間に５０キロジュールの熱伝導率を有する場合、他方のプレート２０、３０は１分間に２５〜１００キロジュールの熱伝導率を有する。
【００２２】
一実施形態では、食品は肉の切り身である。プレート２０、３０を、約５００°Ｆまで加熱する。次に、肉をプレート２０、３０間に置き、プレート２０、３０および肉を熱源から下ろす。プレート２０、３０は、熱がプレート２０、３０から肉の切り身に伝わるにつれて温度が低下し始めることになり、また、ある程度までは、周囲空気および他の構造物に放熱している。好ましくは、プレート２０、３０を、ボトムプレート２０が少なくともある程度断熱された（空気による断熱を含む）表面上で休ませるように配置する。一実施形態では、バーベキューの上部ラック上のグリルは、適切な断熱場所となる。蓋を閉じた状態は、スモークおよび封じ込めが望ましいバーベキュー風味を付け得る。別の選択肢として、調理が進む時にプロパングリルをオフにすることで、容易に両方向からバランスよく調理される。熱伝導は、食品とプレート２０、３０との間の温度差が最大であるときに最大となる。プレート２０、３０が冷めるにつれて、この熱伝導率は低くなる。
【００２３】
食品は、まず、プレート２０、３０と接触している面で加熱される。食品の中心部が十分に加熱され次第、食品をプレート２０、３０から取り除く。肉などのいくつかの食品では、様々な消費者が、様々な量で肉を調理することを望み得る。肉を望むように調理するために、一定の時間が設定され得る。例えば、１インチ（約２．５４ｃｍ）のステーキを「ミディアムレア」まで調理するのに２．０分、または「ミディアム」まで調理するのに２．５分である。同様に、他の食品をプレート２０、３０の両側から急速に調理することができ、このことは、後に最適に繰り返せるように調べて、分類され得る。急速な加熱に加えて、食品と接触する２つのプレート２０、３０の表面は、食品をある程度焼いて、食品中の水分を封じ込めることにより食品に水分と望ましい旨味を加えるのに役立つ。
【００２４】
有利には、加熱中に調理面２２および下面３４が密接状態になり得るプレート２０、３０が形成される。このことにより、プレートを形成する高熱伝導率材料は、加熱中に熱平衡状態で同様の温度に保たれる。トッププレート３０の上面３２を測定する熱プローブまたは他の温度計は、この上面が５００°Ｆまたは他の所望の目標開始温度になると、焼き器１０全体が準備完了であることを示す。
【００２５】
特に図８〜図１４を参照しながら、第１の代替の実施形態に係る本発明の詳細を説明する。この第１の代替の実施形態は、多くの点で上述の実施形態の焼き器１０と同様であるので、この代替の焼き器１１０については、この代替の焼き器１１０の特有の詳細に関して最も詳細に説明する。代替の焼き器１１０は、図１〜図７の焼き器１０のトッププレート３０およびボトムプレート２０とほとんどの点で同様である、ボトムプレート１２０およびトッププレート１３０を含む。したがって、ボトムプレート１２０は、加熱面１２４の反対側に調理面１２２を有し、周縁部１２６がそれらの間に延在する。延長部１２５は、ボトムプレート１２０の一端のハンドルとなる。
【００２６】
トッププレート１３０は、下面１３４の反対側に上面１３２を含み、上面１３２と下面１３４との間に周囲部１３６を有する。延長部１２５は、ボトムプレート１２０の一端のハンドルとなる。トッププレート１３０は、下面１３４の反対側に上面１３２を含み、周囲部１３６が上面１３２と下面１３４との間に伸びる。つまみ１３５は、トッププレート１３０用のハンドルとなる。
【００２７】
この代替の焼き器１１０に特有であるが、ボトムプレート１２０は、ボトムプレート１２０の調理面１２２から垂直上方に延在する支柱１２８を含む。支柱１２８は、好ましくは、円形断面を有する円筒形である。穴１３８は、トッププレート１３０内に形成され、下面１３４から上面１３２までトッププレート１３０を完全に貫通して延在する。穴１３８および支柱１２８は、好ましくは、支柱１２８が穴１３８に嵌合することができるように、サイズ、形状および位置ともに同様の形態を有する。支柱１２８が穴１３８内に自由に入ることを可能にするために十分な公差が設けられるが、垂直方向以外の相互の移動は最小限に抑えられる。
【００２８】
開示されている実施形態では、代替の焼き器１１０は、４本の支柱１２８および４つの穴１３８を特徴とし、支柱１２８および穴１３８は、プレート１２０、１３０の隅部の近くにある。このような位置は、トッププレートをボトムプレート１２０と位置合わせされた状態に保つのに便利である。支柱１２８と穴１３８とにより、トッププレート１３０とボトムプレート１２０とを接近させ、加熱ステップ中にトッププレート１３０とボトムプレート１２０との間を急速に加熱させる。さらに、プレート１２０、１３０間に食品を挟んだ状態で、支柱１２８および穴１３８は、２つのプレート１２０、１３０間が接近した状態を維持し、食品を均一に加熱／調理するように２つのプレート１２０、１３０間の熱平衡（常温）を維持するのに役立つ。
【００２９】
また、支柱１２８および穴１３８は、加熱後、食品をプレート１２０、１３０間の食品スペースＦ内に置き、トッププレート１３０をボトムプレート１２０上に（図９の矢印Ａに沿って）下方に移動させたときに、トッププレート１３０がボトムプレート１２０に対して移動するようにトッププレート１３０を保持する。例えば、代替の焼き器１１０全体を熱源から移動させるときに、延長部１２５を片手で掴んで移動させることができることが望ましい。穴１３８と支柱１２８との相互作用によってトッププレート１３０がボトムプレート１２０に保持され、熱源から離れた調理位置への移動を最も容易におよび／または効果的に行うことができる。これは、特に、アスパラガス、ホットドッグ、および調理される他の円筒形もしくは円形の食品のような丸みを帯びた食品の場合に言えることである。支柱１２８はさらに、特に代替の焼き器１１０の移動中にホットドッグなどがボトムプレート１２０から転がり落ちるのを防ぐ、またはそうでなければ、横方向に脱落するのを防ぐのに役立ち得る。
【００３０】
支柱１２８はまた、トッププレート１３０がボトムプレート１２０上に配置される前および配置された後の両方で、ホットドッグなどの食品がボトムプレート１２０から転がり落ちるのを防ぐのを助ける。支柱１２８および穴１３８は、トッププレート１３０とボトムプレート１２０との間に様々な高さの食品を収容するために、トッププレート１３０およびボトムプレート１２０を一緒に位置合わせされた、垂直方向以外の相対運動のない状態に保つためのガイド構造の一形態を形成する。
【００３１】
特に図１５〜図２３を参照しながら、さらなる代替的の実施形態に係る第２の代替の焼き器２１０の詳細を説明する。この第２の代替の焼き器２１０は、本明細書でより詳細に説明している場合を除いて、前述の焼き器と同様である。
【００３２】
第２の代替の焼き器２１０は、食品スペースＦを間に挟んで互いに近接して配向されるように構成されたボトムプレート２２０およびトッププレート２３０を含む。これらのプレート２２０、２３０は、好ましくは、サイズが同様であるが、この実施形態では、トッププレート２３０の方がわずかに小さく、ボトムプレート２２０の調理面２２２の周縁部２２６に近接する溝２２８が、トッププレート２３０の周囲部２３６のわずかに外側に露出している。ボトムプレート２２０は、調理面２２２からオフセットされた加熱面２２４を含み、周縁部２２６が表面２２２、２２４の境界となり、ボトムプレート２２０の厚さを画定する。溝２２８は、ボトムプレート２３０内の一部分にのみ延在し、それにより、プレート２２０、２３０間で調理している食品から出た油分をこの溝２２８内に捕捉することができる。ガイドバー２２１は、ボトムプレート２２０から上方に延在するガイド構造として機能する。
【００３３】
取っ手２２５は、その周縁部２２６において、ボトムプレート２２０の両側の縁部から延在する。これらの取っ手２２５は、第２の代替の焼き器２１０用のハンドルとして機能する。各取っ手２２５は、好ましくは、先端２２７まで延在し、取っ手２２５は、先端２２７まで外側へアーチ２２９状に湾曲している。アーチ２２９により、ユーザが油に触れて火傷を引き起こす恐れのある、またはより掃除しにくい恐れのある場所に、高温の油が溜まらなくなる。取っ手２２５は、過剰な熱からあまり保護されていなくても（または全く保護されていなくても）、先端２２７付近で取っ手２２５をまとめることができるのに十分な長さおよび薄さである。
【００３４】
トッププレート２３０は、底面２３４の反対側に上面２３２を含み、周囲部２３６は、表面２３２、２３４間のトッププレート２３０の厚さを画定する。一実施形態では、トッププレート２３０は、ボトムプレート２２０よりも少し厚目に作製されており、そのため、トッププレート２３０の周囲サイズの小ささは、この厚さで補われており、その結果、プレート２２０、２３０の体積／質量は、変わらず同様になり得る。
【００３５】
スロット２３１は、トッププレート２３０を貫通して延在し、ガイドバー２２１と同様のサイズおよび同様の位置を有する。したがって、スロット２３１は、トッププレート２３０とボトムプレート２２０との間の垂直方向の相対運動以外の全ての相対運動に抵抗する形でトッププレート２３０をボトムプレート２２０に結合するように、ガイドバー２２１に嵌合し得る。プレート２２０、２３０の横方向の変位は、（プレートの間の食品スペースＦ内に食品を置いた状態で）互いに嵌合するスロット２３１とガイドバー２２１との相互作用によって抑えられる。また、バー２２１とスロット２３１との接触は、それらの間にある食品の均一な加熱／調理のための熱平衡を維持するのに役立つ。
【００３６】
トッププレート２３０は、好ましくは、その上にハンドル２３５を含む。この実施形態では、ハンドルは、横棒を挟んだ２つの立ち上がり部を有しており、ユーザは横棒を掴むことができる。この横棒は、低い熱伝導率を有する材料（例えば、木材）で形成され得、熱からほとんどまたは全く保護されていなくても容易に持つことができる幾何学的形状を有する。
【００３７】
温度計２３７は、好ましくは、トッププレート２３０内に、特にトッププレート２３０の上面２３２上に形成される（または取り付けられる）。このような位置は、ボトムプレート２２０が、現在加熱されているバーベキューグリルまたは電気クックトップなどの熱源上に（トッププレート２３０がボトムプレート２２０上に積み重ねられた状態で）配置されたときに、プレート２２０、２３０の組立体の所望の温度に達する最後の部分は、トッププレート２３０の上面２３２である。トッププレート２３０のこの上面２３２が所望の温度に達すると、プレート２２０、２３０の各々のほぼ全て（おそらくハンドル以外）の部分は、少なくともこの温度に達したことになる。
【００３８】
ガイド要素に関して、代替の焼き器１１０（図８〜図１４）の支柱１２８および第２の代替の焼き器２１０（図１５〜図２３）のガイドバー２２１はともに、ボトムプレート１２０、２２０から上方に延在する形で示されているが、その代わりに、これらのガイド構造は、このようなガイド構造および関連する穴／凹部の位置を逆にすることによって、トッププレート１３０、２３０からボトムプレート１２０、２２０内の適切な形状の穴１３８、２３１内へと下方に延在し得ることも考えられる。
【００３９】
本開示は、本発明の好適な実施形態および本発明を実施するための最良の形態を明らかにするために提供されている。このように本発明を説明してきたが、本発明の開示の範囲および精神から逸脱することなく、好適な実施形態に対して様々な異なる修正を行うことができることは明らかであろう。実施形態が「例示的」または「好適な」と言及される場合、この用語は、本発明の一例を示すことを意味しているのであって、他の可能な実施形態を除外するものではない。構造が機能を実行するための手段として特定されている場合、その特定は、指定された機能を実行することができる全ての構造を含むことが意図される。本発明の構造物が共に結合されるものとして特定されている場合、そのような表現は、構造物が直接結合されるか、または介在構造を介して結合されるものと広く解釈されるべきである。そのような結合は、特に限定されない限り、永久的または一時的な結合であってもよく、堅固な形で、または枢動、摺動、もしくは他の相対運動を可能にしながら何らかの形態で取り付ける形のいずれかであってもよい。
【産業上の利用可能性】
【００４０】
本発明は、食品を上下両方から同時に焼くことができる食品焼き器を提供するという点で産業上の利用可能性を示す。
【００４１】
本発明の別の目的は、食品に対して下方にも上方にも同様の割合で熱を伝える２つのプレート式の食品焼き器を提供することである。
【００４２】
本発明の別の目的は、食品の２つの別個の表面から同時にかつ同様の割合で調理することによって食品をより急速に加熱し、調理されている食品の水分を維持する食品焼き器を提供すること、さらに食品の表面を焼いて食品の表面からの水分損失を低減することである。
【００４３】
本発明の別の目的は、食品をより迅速に調理することによって調理された食品の旨味を向上させること、および食品の水分をより良好に維持することである。
【００４４】
本発明の別の目的は、バーベキューグリル、クックトップおよび他の熱源を含む様々な熱源に対応する食品焼き器を提供することである。
【００４５】
本発明の別の目的は、２つの別個のプレートを有し、トッププレートをボトムプレートの真上に保ち、使用中に（特に円筒形または球形の食品を挟んだ状態で）トッププレートがボトムプレートから外れて落ちないようにするために、一緒に保持されて、互いに対する横方向への転がりまたは摺動が防止される、食品焼き器を提供することである。
【００４６】
本発明の別の目的は、食品を調理することによって、またはそれ以外で生じた油分を、ボトムプレートの周囲部に近接して溝を設けることによって捕捉することができる食品焼き器を提供することである。
【００４７】
産業上の利用可能性を実証する本発明の他のさらなる目的は、含まれる詳細な説明を注意深く読むことによって、添付図面を検討することによって、および本明細書に含まれる特許請求の範囲を検討することによって明らかになるであろう。
【図１】
2021530340.tif 000003
【図２】
2021530340.tif 000004
【図３】
2021530340.tif 000005
【図４】
2021530340.tif 000006
【図５】
2021530340.tif 000007
【図６】
2021530340.tif 000008
【図７】
2021530340.tif 000009
【図８】
2021530340.tif 000010
【図９】
2021530340.tif 000011
【図１０】
2021530340.tif 000012
【図１１】
2021530340.tif 000013
【図１２】
2021530340.tif 000014
【図１３】
2021530340.tif 000015
【図１４】
2021530340.tif 000016
【図１５】
2021530340.tif 000017
【図１６】
2021530340.tif 000018
【図１７】
2021530340.tif 000019
【図１８】
2021530340.tif 000020
【図１９】
2021530340.tif 000021
【図２０】
2021530340.tif 000022
【図２１】
2021530340.tif 000023
【図２２】
2021530340.tif 000024
【図２３】
2021530340.tif 000025
【国際調査報告】
2021530340.tif 000026